(57)【要約】【課題】リモコン・エンジンスタータを有する車両であっても、音楽又は映像をラストポジションから続き再生して視聴することができるディスク再生装置及びディスク再生方法を提供する。【解決手段】ディスク媒体に記録された情報を再生し復号化するデコーダ部と、ディスク媒体の再生時に電源がオフされて再生が中断された場合に、中断時の最終再生位置を示すラストポジションを記憶する記憶部と、電源がオフされ再び電源がオンされたときに、記憶部から前記ラストポジションの情報を読み出し、ユーザによって続き再生の指示があった場合（又は車両のドアが開閉された場合）に、ラストポジションから続き再生を実行する制御部と、を具備する。【選択図】図１
2009205737.tif 000002
【特許請求の範囲】
【請求項１】
ディスク媒体に記録された情報を再生して表示部に表示するためのディスク再生装置であって、
前記ディスク媒体に記録された情報を再生し復号化するデコーダ部と、
前記ディスク媒体の再生時に電源がオフされて再生が中断された場合に、中断時の最終再生位置を示すラストポジションを記憶する記憶部と、
前記電源がオフされ再び電源がオンされたときに、前記記憶部から前記ラストポジションを読み出し、ユーザによって続き再生の指示があった場合に、前記ラストポジションから続き再生を実行する制御部と、
を具備したことを特徴とするディスク再生装置。
【請求項２】
ユーザによって操作可能な操作部を有し、前記続き再生の指示は、ユーザが前記操作部に設けられた続き再生ボタンを操作することによって行うことを特徴とする請求項１記載のディスク再生装置。
【請求項３】
前記ディスク再生装置は車両に搭載され、前記電源のオンは前記車両のエンジンの始動に連動し、
前記制御部は、ユーザが前記車両に乗車して前記続き再生ボタンを操作した場合に、前記ラストポジションから続き再生を実行することを特徴とする請求項２記載のディスク再生装置。
【請求項４】
前記車両は、遠隔操作によってエンジンを始動するリモコン・エンジンスタータを備え、前記制御部は、前記エンジンの始動によって前記電源をオン状態に復帰させることを特徴とする請求項３記載のディスク再生装置。
【請求項５】
前記記憶部は、前記ラストポジションとして、前記ディスク媒体の再生経過時間の情報、又は前記ディスク媒体に記録されたチャプタ情報、トラック情報のいずれかを記憶することを特徴とする請求項１記載のディスク再生装置。
【請求項６】
ディスク媒体に記録された情報を再生して表示部に表示する車載用のディスク再生装置であって、
前記ディスク媒体に記録された情報を再生し復号化するデコーダ部と、
前記ディスク媒体の再生時に電源がオフされて再生が中断された場合に、中断時の最終再生位置を示すラストポジションを記憶する記憶部と、
前記電源がオフされ再び電源がオンされたときに、前記記憶部から前記ラストポジションを読み出し、車両のドアの開閉を検知した場合に前記ラストポジションから続き再生を実行する制御部と、
を具備したことを特徴とするディスク再生装置。
【請求項７】
前記車両は、遠隔操作によってエンジンを始動するリモコン・エンジンスタータを備え、前記制御部は、前記エンジンの始動によって前記電源をオン状態に復帰させることを特徴とする請求項６記載のディスク再生装置。
【請求項８】
前記記憶部は、前記ラストポジションとして、前記ディスク媒体の再生経過時間の情報、又は前記ディスク媒体に記録されたチャプタ情報、トラック情報のいずれかを記憶することを特徴とする請求項６記載のディスク再生装置。
【請求項９】
ディスク媒体に記録された情報を再生して表示部に表示するためのディスク再生方法であって、
前記ディスク媒体に記録された情報を再生し復号化して前記表示部に表示し、
前記ディスク媒体の再生時に電源がオフされて再生が中断された場合に、中断時の最終再生位置を示すラストポジションを記憶部に記憶し、
前記電源がオフされ再び電源がオンされたときに、前記記憶部から前記ラストポジションを読み出し、ユーザによって続き再生の指示があった場合に、前記ラストポジションから続き再生を実行することを特徴とするディスク再生方法。
【請求項１０】
前記続き再生の指示は、ユーザが操作部に設けられた続き再生ボタンを操作することによって行うことを特徴とする請求項９記載のディスク再生方法。
【請求項１１】
ディスク媒体に記録された情報を再生して表示部に表示する車載用のディスク再生方法であって、
前記ディスク媒体に記録された情報を再生し復号化して前記表示部に表示し、
前記ディスク媒体の再生時に電源がオフされて再生が中断された場合に、中断時の最終再生位置を示すラストポジションを記憶部に記憶し、
前記電源がオフされ再び電源がオンされたときに、前記記憶部から前記ラストポジションを読み出し、車両のドアの開閉を検知した場合に前記ラストポジションから続き再生を実行することを特徴とするディスク再生方法。
【請求項１２】
前記車両は遠隔操作によってエンジンを始動するリモコン・エンジンスタータを備え、
前記エンジンの始動によって前記電源がオフからオン状態になり、前記車両のドアの開閉を検知したときに前記ラストポジションから続き再生を実行することを特徴とする請求項１１記載のディスク再生方法。
【発明の詳細な説明】
【技術分野】
【０００１】
本発明は、ＤＶＤ（Digital Versatile Disk）やＣＤ（Compact Disk）、或いはＭＤ(Mini Disk)、ＨＤＤ（ハードディスクドライブ）等のディスク媒体に記録された情報を再生するディスク再生装置に係り、再生を一時的に中断した後の再生処理を違和感なく実行可能にしたディスク再生装置及びディスク再生方法に関する。
【背景技術】
【０００２】
従来、ディスク再生装置では、光ピックアップから光ディスク（ディスク媒体）に対してレーザ光を照射し、光ディスクからの情報を読み取って再生するようにしている。ディスク媒体としては、ＤＶＤ、ＣＤ、ＭＤ等がある。また、車載用のディスク再生装置も普及している。
【０００３】
ところで、従来の車載用のディスク再生装置では、ディスクの再生中にエンジンを停止して電源を切った場合、或いはディスクの再生中に他のモード（例えばラジオ放送の受信モード）に切り換えた場合等において、ディスクの再生が中断することがある。このため、次にエンジンを始動して電源をオンにした場合に、再生を中断した位置（ラストポジション）から継続して再生できるようにした機能を有している。
【０００４】
特許文献１には、ディスク再生装置の一例について記載されており、ＭＤの再生が中断された場合に、ピックアップを最終読取位置でロックし、その時点の曲番等を記憶し、再生を開始する際に記憶した曲番等のデータをもとに中断時の位置から再生を開始する例が述べられている。このようなディスク再生装置では、エンジン停止後、再び始動して電源をオンにすると、ラストポジションから自動的にディスク再生が可能となる。
【０００５】
一方、最近では遠隔操作によりエンジンを始動することができるリモコン・エンジンスタータを有する車両が普及している。この場合、リモコンによってエンジンを始動してから実際に車両に乗車するまでに、数分或いはそれ以上に時間がかかることもある。そのため、エンジンを始動した時点から自動的にディスクが再生されると、ユーザが車両に乗り込んだときには、ディスクの再生位置がラストポジションよりも数分先に進んでいることがあり、ユーザは音楽又は映像を継続して視聴するができなくなり、違和感を抱いてしまう。またラストポジションから継続して視聴するには、戻り操作を行って再生する必要があり、手間がかかるという不便さがある。
【特許文献１】特開平７−１２１９３０号公報
【発明の開示】
【発明が解決しようとする課題】
【０００６】
従来のディスク再生装置では、電源をオンしたときに前に再生を中断した位置から継続して再生するこができるが、リモコン・エンジンスタータを有する車両では、リモコンによってエンジンを始動してから実際に車両に乗車するまでに、数分程度の時間がかかることがある。このため、ユーザが車両に乗り込んだときには、再生位置がラストポジションよりも数分先に進んでおり、音楽又は映像を継続して視聴するができないという不具合があった。
【０００７】
本発明は、上記事情に鑑み、リモコン・エンジンスタータを有する車両であっても、音楽又は映像をラストポジションから続き再生して視聴することができるディスク再生装置及びディスク再生方法を提供することを目的とする。
【課題を解決するための手段】
【０００８】
請求項１記載の本発明は、ディスク媒体に記録された情報を再生して表示部に表示するためのディスク再生装置であって、前記ディスク媒体に記録された情報を再生し復号化するデコーダ部と、前記ディスク媒体の再生時に電源がオフされて再生が中断された場合に、中断時の最終再生位置を示すラストポジションを記憶する記憶部と、前記電源がオフされ再び電源がオンされたときに、前記記憶部から前記ラストポジションを読み出し、ユーザによって続き再生の指示があった場合に、前記ラストポジションから続き再生を実行する制御部と、を具備したことを特徴とする。
【０００９】
また、請求項６記載の本発明は、ディスク媒体に記録された情報を再生して表示部に表示する車載用のディスク再生装置であって、前記ディスク媒体に記録された情報を再生し復号化するデコーダ部と、前記ディスク媒体の再生時に電源がオフされて再生が中断された場合に、中断時の最終再生位置を示すラストポジションを記憶する記憶部と、前記電源がオフされ再び電源がオンされたときに、前記記憶部から前記ラストポジションを読み出し、車両のドアの開閉を検知した場合に前記ラストポジションから続き再生を実行する制御部と、を具備したことを特徴とする。
【００１０】
また請求項９記載の本発明は、ディスク媒体に記録された情報を再生して表示部に表示するためのディスク再生方法であって、前記ディスク媒体に記録された情報を再生し復号化して前記表示部に表示し、前記ディスク媒体の再生時に電源がオフされて再生が中断された場合に、中断時の最終再生位置を示すラストポジションを記憶部に記憶し、前記電源がオフされ再び電源がオンされたときに、前記記憶部から前記ラストポジションを読み出し、ユーザによって続き再生の指示があった場合に、前記ラストポジションから続き再生を実行することを特徴とする。
【００１１】
さらに、請求項１１記載の本発明は、ディスク媒体に記録された情報を再生して表示部に表示する車載用のディスク再生方法であって、前記ディスク媒体に記録された情報を再生し復号化して前記表示部に表示し、前記ディスク媒体の再生時に電源がオフされて再生が中断された場合に、中断時の最終再生位置を示すラストポジションを記憶部に記憶し、前記電源がオフされ再び電源がオンされたときに、前記記憶部から前記ラストポジションを読み出し、車両のドアの開閉を検知した場合に前記ラストポジションから続き再生を実行することを特徴とする。
【発明の効果】
【００１２】
本発明のディスク再生装置では、リモコン・エンジンスタータを有する車両であっても、音楽又は映像を前に再生を中断した位置から続き再生して視聴することができ、ユーザに違和感を与えることがない。
【発明を実施するための最良の形態】
【００１３】
以下、この発明のディスク再生装置の一実施形態について図面を参照して説明する。
【実施例１】
【００１４】
図１は本発明の一実施形態に係るディスク再生装置の概略構成を示すブロック図である。尚、以下においては、ディスク媒体としてＤＶＤの再生を行う場合を例に説明する。
【００１５】
図１において、１００はディスク再生装置である。ディスク再生装置１００は、ディスク媒体１（例えばＤＶＤ等の光ディスク）をスピンドルモータ２によって一定の線速度で回転し、ディスク媒体１（以下、単にディスク１と呼ぶ）に記録された情報を、光ピックアップ３を用いて再生する。またディスク再生装置１００は、制御部を構成するコントローラ４、及び操作部５を有している。
【００１６】
また、２００は車両に設けられた車両制御部であり、エンジンの始動や停止等の制御を行うものである。車両制御部２００は、リモコン・エンジンスタータを備え、エンジンキーの操作以外に、リモコン２０１の操作によってエンジンを始動することができる。
【００１７】
また、車両制御部２００は、エンジンの始動情報や車両のドアを開閉したときのドア情報等の車両情報をディスク再生装置１００の制御部４に伝送する。尚、ドア情報は、ドアの開閉を検知する検知部２０２によって得ることができる。ディスク再生装置１００への車両情報の伝送は例えばＢＵＳ２０３を介して行うことができる。
【００１８】
ディスク再生装置１００のコントローラ４はＣＰＵ４１を含み、車両制御部２００からの車両情報、或いは操作部５の操作に応答して、コントローラ４はディスク再生装置２００の電源オン・オフや、ディスク再生等の各種の制御を行う。
【００１９】
図２は本発明のディスク再生装置１００の詳細な構成を示すブロック図である。図２において、１はディスクであり、スピンドルモータ２によって一定の線速度で回転される。ディスク１に対する情報の記録、再生は、光ピックアップ３によって行われる。
【００２０】
光ピックアップ３は、スレッド（ＳＬＥＤ）モータ６を含む移動機構によってディスク１の径方向に駆動され、スレッドモータ６は、スレッドモータ制御回路７により制御される。スレッドモータ６を含む移動機構及びスレッドモータ制御回路７は、光ピックアップ３の移動制御部を構成する。
【００２１】
光ピックアップ３には、対物レンズ３１が設けられ、この対物レンズ３１は、２軸アクチュエータ３２によってフォーカシング方向（レンズ３１の光軸方向）への移動とトラッキング方向（レンズ３１の光軸と直交する方向）への移動が制御される。
【００２２】
ディスク１に記録された情報は、光ピックアップ３によって読み取られ、信号処理回路８に供給される。信号処理回路８は、ＲＦアンプを含み、ＲＦアンプからは、フォーカス制御用の信号、トラッキング制御用の信号、及びデータ再生用の信号が出力される。
【００２３】
フォーカス制御用の信号は、フォーカシング制御回路９に供給され、フォーカシング制御回路９の出力信号は、アクチュエータ３２に供給される。これにより、光ビームが、ディスク１上に常時ジャストフォーカスとなるように制御される。
【００２４】
また、トラッキング制御用の信号はトラッキング制御回路１０に供給される。トラッキング制御回路１０は、トラック駆動信号を作成してアクチュエータ３２に供給する。これにより、光ピックアップ３のトラッキング方向の移動が制御される。また、トラッキング制御回路１０からのトラック駆動信号は、スレッドモータ制御回路７にも供給される。 また、スピンドルモータ２はモータ制御回路１１によって制御される。
【００２５】
光ピックアップ３は、スレッドモータ制御回路７によりスレッドモータ６を制御することで、ディスクの目的アドレスまでサーチ移動するサーチ動作を行うことができる。また、トラッキング補正によってトレース動作を行う。
【００２６】
また、信号処理回路８からのデータ再生用の信号は、増幅回路１２によって増幅されたあと、イコライザ（図示せず）で波形等化され、さらに２値化回路によって２値化されてデータ再生回路１３に供給される。データ再生回路１３は、２値化されたデータをＰＬＬ回路１４からの再生用クロックに基づいて復調する。また、データ再生回路１３は、エラー訂正回路を含み、誤り訂正処理を行ってデジタルデータを出力する。
【００２７】
スレッドモータ制御回路７、フォーカシング制御回路９、トラッキング制御回路１０、モータ制御回路１１、データ再生回路１３、ＰＬＬ回路１４は、バス１５に接続され、これらの回路はバス１５を介してコントローラ４によって制御される。
【００２８】
コントローラ４は制御部を構成しＣＰＵ４１を含み、ＲＯＭ１６に記録されたプログラムに従ってディスク再生装置１００の動作を制御する。また、バス１５には記憶部１７が接続され、記憶部１７にはプログラムの実行により処理されたデータ等を記憶することができる。
【００２９】
またバス１５には、映像・音声デコーダ１８が接続されている。映像・音声デコーダ１８は、データ再生回路１３で再生したデータから、映像信号及び音声信号を復号化し、映像信号を表示部１９に供給し、音声信号を音声出力部（スピーカ）２０に供給する。
【００３０】
さらにバス１５には、前述した操作部５が接続されている。操作部５はユーザによって操作され、例えば再生ボタン、停止ボタン、早戻しボタン、早送りボタン、パワーボタン等を有している。また、続き再生ボタン５１を有している。映像・音声デコーダ１８は、操作部５の操作に応答してコントローラ４の制御のもとに、通常の再生や、続き再生等のモードで映像、音声信号を生成する。
【００３１】
またコントローラ４には前述した車両制御部２００からの車両情報がＢＵＳ２０３を介して供給される。
【００３２】
次に本発明のディスク再生装置１００の動作について説明する。本発明のディスク再生装置１００は車載用に適合したものであり、パワーボタンがオンされている場合、車両のエンジンの始動に連動して電源がオンとなる。この状態でディスク再生装置１００にディスク１が挿入されると、再生状態になり表示部１９には再生映像が表示される。また音声出力部２０からは音声が再生される。
【００３３】
この再生状態において、車両のエンジンを停止するとディスク再生装置１００の電源はオフとなり、再生は中断される。一般のディスク再生装置では、エンジンを停止して再生を中断したときに、中断する直前の最終再生位置情報（以下、ラストポジションと呼ぶ）を記憶部１７に記憶し、再びエンジンを始動して電源をオンしたときに、記憶したラストポジションを読み出して、中断した地点から再生を開始するようにしている。
【００３４】
しかしながら、リモコン・エンジンスタータを有する車両の場合、リモコン２０１によってエンジンを始動することができるため、リモコン２０１でエンジンを始動するとディスク再生装置の電源がオンしてディスクの再生が開始されることになる。このため、ユーザがエンジンを始動して実際に車両に乗車するまでに時間がかかった場合は、ディスクの再生位置がラストポジションから進んだ位置（例えば数分以上先に進んだ位置）を再生しているため、ユーザは音楽又は映像を継続して視聴するができなくなる。このため、ラストポジションから続き再生を行って視聴するには、戻り操作をする必要があり、手間がかかってしまう。
【００３５】
そこで、本発明では車両のエンジンを始動しても、ユーザが続き再生の操作を行うまでは再生開始を待機させ、ユーザが続き再生の操作を行った後に再生を開始するようにした点に特徴がある。
【００３６】
図３は、本発明の一実施形態に係るディスク再生装置１００の動作を説明する動作説明図である。図３において、横軸は映像コンテンツ（ディスク１）の再生進度を示し、例えばコンテンツの１タイトルをチャプタ１からチャプタ９９で表している。ＤＶＤ（例えば映画用ディスク）では、通常、本編のコンテンツに対して１つのタイトルを付し、１つのタイトルを複数のチャプタに区切っている。
【００３７】
電源がオンされ、ディスク１の再生が開始されると、コントローラ４は、周期的（例えば１秒毎）に現再生位置の情報を記憶部１７に記憶する。記憶部１７に記憶された位置情報は、順次、再生進度に応じて上書きされ、最新の位置情報が更新記憶される。尚、位置情報を記憶する時間間隔は１秒毎に限らず、２秒毎、３秒毎等の任意の時間間隔に設定することができる。
【００３８】
そして、例えばチャプタ２を再生している途中のタイミングｔ１でエンジンが停止され、電源がオフされたとすると、その時点での最終再生位置情報（ラストポジション）が記憶部１７に保持される。図３の表示画像１９１は、タイミングｔ１における再生画像の一例を示す。尚、記憶部１７は頻繁に書き込みが行われるため、ＳＲＡＭ等のバッテリーバックアップＲＡＭが適している。
【００３９】
次に、リモコン２０１の操作により、タイミングｔ２でエンジンが始動され、ディスク再生装置１００の電源がオンされた場合、コントローラ４は、記憶部１７に記録されたラストポジションを読み出して、ラストポジションから続き再生を行うが、直ぐに再生を開始することなく、ユーザが操作部５の続き再生ボタン５１を操作するまで続き再生の動作を待機する。
【００４０】
図３おいて、タイミングｔ２でエンジンが始動され、ユーザが車両に乗り込み、タイミングｔ３で続き再生ボタン５１が操作されると、コントローラ４は、記憶部１７から読み出したラストポジションを基に、再生を中断した位置からディスク１の再生を開始する。したがって、表示画像１９２で示すように、再生を中断した位置から続き再生が行われる。
【００４１】
図４は、本発明のディスク再生装置１００において、ラストポジションから再生を行う場合の動作を説明するフローチャートである。
【００４２】
図４のステップＳ１は、電源がオンされてディスク１が再生されている状態を示している。ステップＳ２は電源オフを判別するステップであり、ディスク１を再生している途中でエンジンが停止された場合等、コントローラ４は電源がオフされたものとして、ステップＳ３において、電源オフ時点でのラストポジションを記憶部１７に記憶する。
【００４３】
次にリモコン２０１でエンジンが始動されると、コントローラ４はステップＳ４で電源をオン状態に復帰させる。またコントローラ４は、ステップＳ５において記憶部１７に記録されたラストポジションを読み出し、ラストポジションからの再生の準備を行う。そしてステップＳ６でユーザが操作部５の続き再生ボタン５１を操作すると、コントローラ４は、ステップＳ７においてラストポジションから再生を開始する。
【００４４】
ステップＳ８は、再生終了のステップであるが、さらにステップＳ７の再生処理時に再びエンジンを停止して電源がオフされたような場合は、ステップＳ２に戻って同様の処理が繰り返し実行される。
【００４５】
したがって、図４のフローチャートの動作によれば、リモコン２０１によってエンジンが始動された場合でも、ユーザが続き再生ボタン５１を操作するまでは、再生を待機するため、エンジンが始動され、実際にユーザが車両に乗車するまでに時間がかかっても、再生を中断した位置からディスク１の続き再生を実行することができる。
【実施例２】
【００４６】
次に本発明の第２の実施形態に係るディスク再生装置について説明する。即ち、以上の説明では、ユーザが続き再生ボタン５１を操作してから再生を開始する例を述べたが、第２の実施形態では、車両のドア情報を利用して再生を開始するようにしたものである。
【００４７】
即ち、ユーザがリモコン２０１でエンジンを始動してから、実際に車両に乗車する際にはドアを開くため、このドアの開閉を検知部２０２で検知してから、ラストポジションの情報を基に再生を開始する点に特徴がある。
【００４８】
例えば、図３のタイミングｔ２でエンジンを始動し、少し遅れたタイミングｔ３でドアの開閉が検知された場合、コントローラ４は、タイミングｔ３でユーザが車両に乗り込んだものと判断して、記憶部１７から読み出したラストポジションを基に、再生を中断した位置からディスク１の再生を開始する。したがって、表示画像１９２で示すように、再生を中断した位置から続き再生が実行される。
【００４９】
尚、実際にはユーザが車両に乗り込んだあと、シートベルトを締めたりする時間があるため、ユーザが落ち着くまでの時間を見込んで、タイミングｔ３から若干遅れて再生を開始するようにしてもよい。
【００５０】
図５は、本発明の第２の実施形態に係るディスク再生装置１００において、ラストポジションから再生を行う場合の動作を説明するフローチャートである。
【００５１】
図５のステップＳ１１は、電源がオンされてディスク１が再生されている状態を示している。ステップＳ１２は電源オフを判別するステップであり、ディスク１を再生している途中でエンジンが停止された場合等、コントローラ４は電源がオフされたものとして、ステップＳ１３において、電源オフ時点でのラストポジションを記憶部１７に記憶する。
【００５２】
次にリモコン２０１でエンジンが始動されると、コントローラ４は、ステップＳ１４で電源をオン状態に復帰させる。またコントローラ４は、ステップＳ１５において記憶部１７に記録されたラストポジションを読み出し、ラストポジションからの再生の準備を行う。そしてステップＳ１６でドアの開閉が検知されると、コントローラ４は、ステップＳ１７においてラストポジションから再生を開始する。
【００５３】
ステップＳ１８は、再生終了のステップであるが、さらにステップＳ１７の再生処理時に再びエンジンを停止して電源がオフされた場合は、ステップＳ１２に戻って同様の処理が繰り返し実行される。
【００５４】
したがって、図５のフローチャートの動作によれば、リモコン２０１によってエンジンが始動された場合でも、車両のドアが開閉されてユーザが乗車するまでは、再生を待機する。そして、エンジンが始動され、実際に車両に乗り込んだ時点で、先に再生を中断した位置からディスク１の続き再生が実行される。
【００５５】
また、図５のフローチャートによれば、リモコン２０１によらずキーでエンジンを始動した場合であっても、ドアが開いたままの状態ではディスク１の再生は開始されず、ドアが閉じた段階で再生が開始されるため、ドアを開いて荷物を積んでいるようなときに、再生が進んでしまうという事態を避けることができる。
【００５６】
尚、図４のステップＳ５とＳ６の順番、及び図５のステップＳ１５とＳ１６の順番は入れ替えてもよい。
【００５７】
このように、本発明のディスク再生装置では、リモコン・エンジンスタータを有する車両であっても、音楽又は映像を、前に再生を中断した位置から継続して視聴するができ、ユーザに違和感を与えることがない。
【００５８】
また以上の説明では、ディスク１の最終再生位置を示すラストポジションとして、映像コンテンツの再生経過時間の情報を記憶する例を述べたが、これに限らず再生位置を特定できる情報であればディスクに記録された他の情報（例えばチャプタ情報）を用いることもできる。
【００５９】
また、以上の説明ではディスク１として、ＤＶＤを例に説明したが、ナビゲーション用のディスク、ＣＤ（Compact Disk）、ＭＤ(Mini Disk)、或いはＨＤＤ（ハードディスクドライブ）等のディスク媒体に記録された情報を再生する場合であっても本発明の実施形態を適用することができる。
【００６０】
例えばＣＤ再生装置について言えば、ＣＤを再生している途中でエンジンを停止した場合には、ＣＤのトラック情報をラストポジション情報として記憶部１７に記憶すれば良い。そして、再びエンジンが始動された場合は、ユーザによる続き再生ボタン５１の操作、或いはドアの開閉を検知して、ラストポジションを基に続き再生を実行するようにすればよい。
【００６１】
また以上の説明に限定されることなく、特許請求の範囲を逸脱しない範囲内で種々の変形が可能である。
【図面の簡単な説明】
【００６２】
【図１】本発明の一実施形態に係るディスク再生装置を示す概略構成図。
【図２】同実施形態に係るディスク再生装置の詳細な構成を示すブロック図。
【図３】同実施形態に係るディスク再生装置の動作を説明する動作説明図。
【図４】同実施形態に係るディスク再生装置の動作を説明するフローチャート。
【図５】本発明の他の実施形態に係るディスク再生装置の動作を説明するフローチャート。
【符号の説明】
【００６３】
１…ディスク媒体
２…スピンドルモータ
３…光ピックアップ
４…コントローラ
４１…ＣＰＵ
５…操作部
５１…続き再生ボタン
６…スレッドモータ
７…スレッドモータ制御回路
８…信号処理回路
９…フォーカシング制御回路
１０…トラッキング制御回路
１１…モータ制御回路
１２…増幅回路
１３…データ再生回路
１４…ＰＬＬ回路
１５…バス
１６…ＲＯＭ
１７…記憶部
１８…映像・音声デコーダ
１９…表示部
２０…音声出力部
１００…ディスク再生装置
２００…車両制御部
２０１…リモコン
２０２…ドア開閉検知部
２０３…ＢＵＳ
【図１】
2009205737.tif 000003
【図２】
2009205737.tif 000004
【図３】
2009205737.tif 000005
【図４】
2009205737.tif 000006
【図５】
2009205737.tif 000007